(57)【要約】      （修正有）【課題】３次元立体構造網状体の特徴を生かしつつ、人にとってより快適な睡眠を得ることができ、かつ取り扱いにも優れた積層構造マットレスを提供する。【解決手段】積層構造マットレス１は、合成樹脂を成形して得られる３次元立体構造網状体よりなる複数の下マットレス１０と、前記複数の下マットレスを平面に並べた表面をカバーする上マットレス２０と、それらを包むマットレスカバー３０と、を備えている。上マットレス２０により、２つの下マットレス１０が隣接する部分の微小な隙間が覆われる。【選択図】図２
2016010486.tif 000002
【特許請求の範囲】
【請求項１】
合成樹脂を成形して得られる３次元立体構造網状体よりなる複数の下マットレスと、前記複数の下マットレスを平面に並べた表面をカバーする上マットレスと、それらを包むマットレスカバーと、を備えた積層構造マットレス 
【請求項２】
前記複数の下マットレスは同サイズであることを特徴とする請求項１に記載の積層構造マットレス
【請求項３】
前記上マットレスの厚さは前記下マットレスの厚さより薄いことを特徴とする請求項１〜２に記載の積層構造マットレス 
【請求項４】
前記上マットレスは前記複数の下マットレスよりも硬度が低いことを特徴とする請求項１〜３に記載の積層構造マットレス 
【請求項５】
前記上マットレスは油膜除去ウレタンフォームであることを特徴とする請求項１〜４に記載の積層構造マットレス 
【請求項６】
前記複数の下マットレスの各々が個別に装填される個装袋をさらに備えることを特徴とする請求項１〜５に記載の積層構造マットレス 
【請求項７】
前記複数の下マットレスおよび前記上マットレスやマットレスカバーや個装袋を折り畳んでまとめて収納することを特徴とする収納体
【発明の詳細な説明】
【技術分野】
【０００１】
本発明は、複数のマットレスを備える積層構造マットレスおよび収納体に関し、特に合成樹脂からなる３次元立体構造網状体を主マットレスとする積層構造マットレスおよび収納体に関する。
【背景技術】
【０００２】
近年、ポリエステル樹脂やポリエチレン樹脂からなる線条体を不規則にカールあるいは屈曲させて、高温で各線条体の交絡点が融着された３次元の立体構造網状体を所定厚さに調整したタイプのマットレスが種々市販されている。当該３次元立体構造網状体は、綿やウレタンフォームを用いたものより通気性、耐久性、体圧分散性に優れた効果を有し、さらに水洗いできるという機能（洗浄性）も備えている。
【０００３】
当該３次元立体構造網状体のマットレスは上記機能を備えることから、幅広く利用されてきているが、実際に使用する際、そのままでは合成樹脂切断面のチクチク感や樹脂自体の硬さが人に不快感を与えるために、通常は裸状態ではなく袋に入れたり、さらにその上からカバーなどで覆ったりするようにしている。
【０００４】
また、当該３次元立体構造網状体のマットレスは折り曲げることができないため、人が横臥する長さ方向に複数に分割して、それら分割したマットレスを一方向に並設することにより、人の身長をカバーする長さを確保している。しかしながら、図６に示すように、個装袋１２を用いて複数のマットレスが折り畳めるように連結した場合に、マットレスカバー３０でカバーしたとしても、折り畳み時の屈折線に対応する部分、具体的に図６のｂ１やｂ２の境界部分に僅かの空間が発生して、その境界部分で人が微妙な違和感を覚え、快適な寝心地や安心感を得ることができないという問題があった。
【０００５】
特許文献１には、搬送上の問題を解消し、かつ、隣接するマット部分間に生ずる段差に対して違和感をできるだけ軽減させた組立式のマットレスを提供することを目的として、平板直方体形状のアッパーマットと、その下方に積み重ねられる平板直方体形状のアンダーマットと、アッパーマット及びアンダーマットを積み重ね状態で収納できる折り畳み可能なマットレスカバーとから構成された組立式のマットレスが開示されている。
【０００６】
アッパーマット及びアンダーマットは、クッション性材料からなり複数に分割されたマット片で構成され、アッパーマットとアンダーマットとを積み重ねた状態で、アッパーマットのマット片の隣接境界線と、アンダーマットのマット片の隣接境界線とが重ならないように構成されているので、隣接するマット間の境界部分に生ずる段差が緩和される。
【０００７】
また、アッパーマットをマット片とマット片の左右両側にあてがうエッジマットとで構成すると、エッジマットの支えによりずれにくい構造になるものの、マット片の隣接部分に発生する微小空間により生じる違和感はマットレスカバーだけでは解消できなかった。さらに、マットレスの組立や各部材の出し入れが甚だ困難であるばかりでなく、使用しているマットレス素材はウレタン系であるため、上述した３次元立体構造網状体の通気性や洗浄性等の機能は有していない。
【先行技術文献】
【特許文献】
【０００８】
【特許文献１】特開２０１１−１９８２２号
【発明の概要】
【発明が解決しようとする課題】
【０００９】
そこで、本発明は前述した問題点に鑑みなされたものであり、合成樹脂からなる３次元立体構造網状体の特徴を生かしつつ、人にとってより快適な睡眠を得ることができ、かつ取り扱いにも優れた積層構造マットレスを提供することを目的とする。
【課題を解決するための手段】
【００１０】
上記課題を解決するため、請求項１の発明にあっては、合成樹脂を成形して得られる３次元立体構造網状体よりなる複数の下マットレスと、前記複数の下マットレスを一方向に並設した上面に配置される上マットレスと、それらを包むマットレスカバーと、を備えたことを特徴とするものである。
【００１１】
また、請求項２の発明にあっては、前記複数の下マットレスは同サイズであることを特徴とするものである。
【００１２】
また、請求項３の発明にあっては、前記上マットレスの厚さは前記下マットレスの厚さより薄いことを特徴とするものである。
【００１３】
また、請求項４の発明にあっては、前記上マットレスは前記複数の下マットレスよりも硬度が低いこと特徴とするものである。
【００１４】
また、請求項５の発明にあっては、前記上マットレスは油膜除去ウレタンフォームであることを特徴とするものである。
【００１５】
また、請求項６の発明にあっては、前記複数の下マットレスの各々が個別に装填される個装袋をさらに備えることを特徴とするものである。
【００１６】
また、請求項７の発明にあっては、前記下マットレスおよび前記上マットレスやマットレスカバーや個装袋を折り畳んでまとめて収納する収納体を備えることを特徴とするものである。
【発明の効果】
【００１７】
請求項１の発明によれば、合成樹脂からなる３次元立体構造網状体よりなる複数の下マットレスを一方向に並設した際に発生する隣接部分の微小な隙間が隙間の無い上マットレスで覆われるので、微小な隙間が横臥姿勢となった人に与える違和感を解消させることができる。
【００１８】
請求項２の発明によれば、前記複数の下マットレスが同サイズのため、取り扱いが容易で、きれいに収納できる。
【００１９】
請求項３の発明によれば、前記上マットレスの厚さは前記下マットレスの厚さより薄いため、前記３次元立体構造網状体のもつ通気性、体圧分散性等の諸機能を損なうことなく、有効に発揮させることができる。
【００２０】
請求項４の発明によれば、前記上マットレスは前記複数の下マットレスよりも硬度が低いため、隣接部分の違和感を解消させつつ小さいサイズに折り畳むことができ、収納性が高くなる。
【００２１】
請求項５の発明によれば、前記上マットレスは油膜除去ウレタンフォームであるため、巻綿や従来のウレタンフォームに比べ通気性が格段に優れており、前記下マットレスのもつ通気性という機能を有効に発揮させることができ、快適な睡眠特性を実現できる。
【００２２】
請求項６の発明によれば、前記複数の下マットレスの各々が個別に装填される個装袋をさらに備えるため、前記マットレスカバーで覆い包む際に、下マットレスがばらけることなくスムーズに作業することができる、また収納時も簡単である。
【００２３】
請求項７の発明によれば、前記複数の下マットレスおよび前記上マットレスやマットレスカバーや個装袋を折り畳んでまとめて収納できるため、収納や運搬の際には簡単に行えるとともに、省スペース化も図れる。
【図面の簡単な説明】
【００２４】
【図１】本発明に係る積層構造マットレスの斜視図である。
【図２】図１におけるＸ−Ｘ断面図である。
【図３】図１の構成部材の斜視図である。
【図４】本発明に係る他の積層構造マットレスの断面図である。
【図５】本発明に係る収納状態を示す斜視図である。
【図６】従来の積層構造マットレスの構成部材の斜視図である。
【発明を実施するための形態】
【００２５】
（第一の実施例）
以下、本発明の実施の形態を添付図面に基づいて説明する。図１は、本発明に係る積層構造マットレス１の斜視図であり、平板状の直方体である。図１に示すように、外表面はマットレスカバー３０で覆われ、端縁３０ａはゴムなどの弾性体で絞り込む構造になっており、辺Ｌ１は約２００ｃｍ、辺Ｌ２は約１００ｃｍ、辺Ｌ３は約１４ｃｍである。
【００２６】
図２は、図１におけるＸ−Ｘ断面図を示し、積層構造マットレス１は、合成樹脂からなる３次元立体構造網状体よりなる３個の下マットレス１０、その上にウレタンフォームからなる上マットレス２０、それらを覆い包むマットレスカバー３０とから構成される。ここで、下マットレス１０を３つ並べている理由は、下マットレス１０は合成樹脂からなるため硬度が１３０Ｎ（Ｎはニュートン、ＪＩＳ  Ｋ６４０１準拠による測定）と硬いことから、梱包性や運搬性を考慮して、人が寝る方向に３分割している。なお、３つの下マットレス１０は同サイズで、辺Ｌ４は約６７ｃｍである。
【００２７】
また図２のように、２つの上マットレス１０を密接させたとしてもそれらの間には境界部分（隣接部分）ａが発生する。そのため、境界部分ａとその他の部分は人への感触性が異なってくる。そこで、本発明は上マットレス２０を裁置することで違和感をなくすものである。なお、下マットレス１０の厚さｄ１は約９ｃｍ、上マットレス２０の厚さｄ２は約５ｃｍであるが、上マットレス２０の厚さｄ２を下マットレス１０の厚さｄ１より薄くする理由は、下マットレス１０がもつ３次元立体構造網状体の機能を損なわないようにするためである。
【００２８】
図３は図１の構成部材を斜視図で示したもので、各部材について具体的に説明する。合成樹脂からなる３次元立体構造網状体１０は、ポリエステル、ポリエチレン、エチレン酢酸ビニルコポリマー等を原材料とする樹脂からなる線条体（フィラメント）を複数のオリフィスから融点より高い温度の雰囲気中に吐出し、曲がりくねらせてランダムループに形成する。それらランダムループが互いに接触した交絡部分は融着するが、その状態からすぐに水中などで冷却することにより所望厚さの所定の弾性を有する３次元立体構造網状体１０を得ることができる。その際、吐出装置のオリフィスの形状により種々の断面形状を作製できるが、ワイヤー状の中実タイプと、パイプ状の中空タイプとを例示することができる。このような３次元立体構造網状体１０により、良好な通気性、耐久性、体圧分散性、洗浄性といった諸機能が実現される。なお、硬さを求める人には、中実タイプのものを使用することになる。この３次元立体構造網状体１０として、ブレスエアー（東洋紡株式会社、登録商標）を例示することができる。
【００２９】
また、上マットレス２０は、厚みが２〜５ｃｍの巻綿や軟質ウレタンフォームさらには低反発ウレタンフォーム等を用いることができる。なお、上述した３次元立体構造網状体１０を有する厚さの薄いマットレスを上マットレスとして用いると、それなりの効果を示すことができるが、剛性が強すぎて折り畳むことができないため、梱包性や運搬性の点で適切ではない。人への感触性を優先すれば、硬度が５０Ｎ（ＪＩＳ  Ｋ６４０１による測定）程度の軟質ウレタンフォームを用いることが好ましい。さらに、体感性に加え通気性を確保するために、無膜処理された軟質ウレタンフォームを用いることがより好ましい。無膜処理とは、軟質ウレタンフォームの通気性を高めるために油分などの除膜を行うもので、その方法として注入した酸素を爆破する方法や水蒸気処理した後乾燥させる方法などが考えられている。また、無膜処理を行うことで、有膜品に比べて通気性が１０倍以上（フラジール式の通気性試験による）になるもので、この無膜軟質ウレタンフォームとして、ムマック（アキレス株式会社、登録商標）を例示することができる。
【００３０】
また、マットレスカバー３０の材質としては、季節や好みにより種々変更可能であるが、材質としては綿、ポリエステル、ポリエステルと綿の混合、アクリルレーヨン等を用いることができ、またマットレスカバーの端縁３０ａはゴムや紐などを通せるように袋状になっている。
【００３１】
（第２の実施例）
図４は、３次元立体構造網状体１０を個装袋１２に入れた積層構造マットレス２の断面図を示したものである。この個装袋１２は、材質がポリエチレン、ポリエステル、ポリプロピレン等の不織布を用いることで、汚れにくくなる。また、この個装袋１２を使用することで、３次元立体構造網状体１０の取り扱いの煩わしさをなくし、組立収納時における出し入れが簡単になる。
【００３２】
図５は、積層構造マットレス２を折り畳んだ状態で収納体４０に収納した状態を示したものである。収納体４０は、材質としてはポリエチレン、低密度ポリエチレン、ポリプロピレン不織布等を使用でき、形状として袋状や箱状が可能である。上マットレス２０は基本的に柔く、個装袋３０も折り畳む構造であり、３次元立体構造網状体１０単独もしくは３次元立体構造網状体１０を個装袋１２に入れたものを、まとめてコンパクトに収納でき省スペースが図れる。その結果、収納体４０の３辺の合計が小さくなるため、運送コストを抑えることもできる。
【００３３】
以上説明した内容は、発明を実施するための一形態を説明したものであり、上記実施の形態に限定されるものではない。例えば、よりコンパクトにするために、４つ折りや５つ折り構造にしてもよい。
また、本発明は、ベッド、ソファー、椅子や枕などの多様な用途に応用が可能である。
【符号の説明】
【００３４】
１、２    積層構造マットレス
１０      下マットレス
１２      個装袋
２０      上マットレス
３０      マットレスカバー
３０ａ    端縁
４０      収納体
ａ、ｂ１、ｂ２      境界部分
ｄ１      下マットレスの厚み
ｄ２      上マットレスの厚み
Ｌ１、Ｌ２、Ｌ３、Ｌ４      寸法
１００      従来の積層構造マットレス
【図１】
2016010486.tif 000003
【図２】
2016010486.tif 000004
【図３】
2016010486.tif 000005
【図４】
2016010486.tif 000006
【図５】
2016010486.tif 000007
【図６】
2016010486.tif 000008